【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
光源ランプから射出された光を変調して投写するプロジェクターであって、
前記光源ランプを駆動する光源駆動部と、
前記プロジェクターを統括制御するメインＣＰＵと、
前記光源駆動部を制御するサブＣＰＵと、
を備え、
前記メインＣＰＵは前記サブＣＰＵとの間で第１の通信を行い、
前記サブＣＰＵは前記光源駆動部との間で第２の通信を行うことを特徴とするプロジェクター。
【請求項２】
請求項１に記載のプロジェクターであって、
前記サブＣＰＵは、前記光源駆動部から第１の異常情報を前記第２の通信によって受信した場合、前記光源ランプを消灯させるためのランプ消灯依頼を前記第２の通信によって前記光源駆動部に送信し、前記第１の異常情報を前記第１の通信によって前記メインＣＰＵに送信することを特徴とするプロジェクター。
【請求項３】
請求項１または２に記載のプロジェクターであって、
前記サブＣＰＵは、前記光源駆動部から第２の異常情報を前記第２の通信によって受信した場合、前記光源駆動部の動作を停止させるための光源駆動停止依頼を前記第２の通信によって前記光源駆動部に送信し、前記第２の異常情報を前記第１の通信によって前記メインＣＰＵに送信することを特徴とするプロジェクター。
【請求項４】
請求項３に記載のプロジェクターであって、
前記サブＣＰＵの制御に基づいて前記光源駆動部に電力を供給する電源回路をさらに有し、
前記サブＣＰＵは、前記光源駆動部に前記光源駆動停止依頼を送信した後、所定の時間が経過しても、前記光源駆動部から動作の停止を完了した旨を表す光源駆動停止完了応答を受信しなかった場合に、前記電源回路に前記光源駆動部への電力の供給を停止させることを特徴とするプロジェクター。
【請求項５】
請求項１乃至４のいずれか一項に記載のプロジェクターであって、
前記サブＣＰＵが、前記光源駆動部に前記光源ランプを点灯させるためのランプ点灯依頼を前記第２の通信によって送信した後に、前記光源駆動部から前記光源ランプの点灯に失敗した旨を表す点灯失敗応答を前記第２の通信によって受信した場合、
前記サブＣＰＵは、前記光源駆動部に前記ランプ点灯依頼を前記第２の通信によって再度送信することを特徴とするプロジェクター。
【請求項６】
光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、
前記サブＣＰＵが、前記光源駆動部から第１の異常情報を前記第２の通信によって受信する異常受信ステップと、
前記異常受信ステップによって前記第１の異常情報を受信した場合、前記サブＣＰＵは、前記光源駆動部に前記光源ランプを消灯させるためのランプ消灯依頼を前記第２の通信によって送信し、前記第１の異常情報を前記第１の通信によって前記メインＣＰＵに送信するランプ消灯ステップと、
を備えることを特徴とするプロジェクターの制御方法。
【請求項７】
光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、
前記サブＣＰＵが、前記光源駆動部から第２の異常情報を前記第２の通信によって受信する異常受信ステップと、
前記異常受信ステップによって前記第２の異常情報を受信した場合、前記サブＣＰＵは、前記光源駆動部に前記光源駆動部の動作を停止させるための光源駆動停止依頼を前記第２の通信によって送信し、前記第２の異常情報を前記第１の通信によって前記メインＣＰＵに送信する光源駆動停止ステップと、
を備えることを特徴とするプロジェクターの制御方法。
【手続補正２】
【補正対象書類名】明細書
【補正対象項目名】０００６
【補正方法】変更
【補正の内容】
【０００６】
［適用例１］本適用例に係るプロジェクターは、光源ランプから射出された光を変調して投写するプロジェクターであって、前記光源ランプを駆動する光源駆動部と、前記プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行うことを特徴とする。
【手続補正３】
【補正対象書類名】明細書
【補正対象項目名】０００７
【補正方法】変更
【補正の内容】
【０００７】
このようなプロジェクターによれば、光源駆動部は光源ランプを駆動する。メインＣＰＵは、プロジェクターを統括制御する。サブＣＰＵは、光源駆動部を制御する。そして、メインＣＰＵはサブＣＰＵとの間で第１の通信を行い、サブＣＰＵは光源駆動部との間で第２の通信を行う。これにより、光源駆動部の制御はサブＣＰＵが独立して行うことができるため、メインＣＰＵの処理の負荷を低減することができる。
【手続補正４】
【補正対象書類名】明細書
【補正対象項目名】００１６
【補正方法】変更
【補正の内容】
【００１６】
［適用例６］本適用例に係るプロジェクターの制御方法は、光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、前記サブＣＰＵが、前記光源駆動部から第１の異常情報を前記第２の通信によって受信する異常受信ステップと、前記異常受信ステップによって前記第１の異常情報を受信した場合、前記サブＣＰＵは、前記光源駆動部に前記光源ランプを消灯させるためのランプ消灯依頼を前記第２の通信によって送信し、前記第１の異常情報を前記第１の通信によって前記メインＣＰＵに送信するランプ消灯ステップと、を備えることを特徴とする。
【手続補正５】
【補正対象書類名】明細書
【補正対象項目名】００１８
【補正方法】変更
【補正の内容】
【００１８】
［適用例７］本適用例に係るプロジェクターの制御方法は、光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、前記サブＣＰＵが、前記光源駆動部から第２の異常情報を前記第２の通信によって受信する異常受信ステップと、前記異常受信ステップによって前記第２の異常情報を受信した場合、前記サブＣＰＵは、前記光源駆動部に前記光源駆動部の動作を停止させるための光源駆動停止依頼を前記第２の通信によって送信し、前記第２の異常情報を前記第１の通信によって前記メインＣＰＵに送信する光源駆動停止ステップと、を備えることを特徴とする。